【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
第１のダイオードと、第１のダイオードに結合された第１の抵抗と、第１のダイオードおよび第１の抵抗に結合された発光ダイオード（ＬＥＤ）とを備え、第１のダイオードおよび第１の抵抗の両端間の電圧降下に応じてＬＥＤが駆動され、第１のダイオードおよび第１の抵抗を通って流れる第１の電流を感知する電流感知回路と、
ＬＥＤに結合されたトランジスタを備える、回路の出力部の両端間に結合された電圧感知回路であって、トランジスタがさらに電圧基準に結合され、ＬＥＤが、回路の出力部の両端間の電圧に応じてトランジスタによって駆動される電圧感知回路とを備える回路。
【請求項２】
回路の出力部の両端間の電圧が電圧感知回路の感知電圧を超えるとＬＥＤを駆動するようにトランジスタが結合される請求項１に記載の回路。
【請求項３】
トランジスタが、電圧基準に結合されたベースを有するバイポーラ・トランジスタからなり、出力部の両端間の電圧が電圧感知回路の感知電圧を超えると、バイポーラ・トランジスタがＬＥＤを駆動する請求項２に記載の回路。
【請求項４】
電圧基準が、回路の出力部に結合されたツェナー・ダイオードによって与えられる請求項３に記載の回路。
【請求項５】
感知電圧が、ツェナー・ダイオードによって与えられる電圧基準とバイポーラ・トランジスタの順方向ベース−エミッタ電圧の合計を含む請求項４に記載の回路。
【請求項６】
ＬＥＤが光結合素子中に含まれる請求項１に記載の回路。
【請求項７】
光結合素子が電源の出力からフィードバックされるように結合され、電源内に含まれている電源コントローラに光結合素子がフィードバックを与えるように結合される請求項６に記載の回路。
【請求項８】
電源がスイッチ・モード電源である請求項７に記載の回路。
【請求項９】
第１のダイオードがＰＮ接合ダイオードを含む請求項１に記載の回路。
【請求項１０】
出力部の両端間に結合された電圧感知回路であって、出力部に結合された電圧基準を備え、出力部の両端間の電圧が電圧感知回路の感知電圧を超えると、出力部に結合されたバイポーラ・トランジスタのベースを駆動する電圧感知回路と、
出力部に結合された第１の抵抗およびバイポーラ・トランジスタとを備えた補償回路であって、第１の抵抗とバイポーラ・トランジスタのベースの間に結合された第２の抵抗をさらに備え、それにより第１の抵抗の両端間の電圧降下とバイポーラ・トランジスタの順方向ベース−エミッタ電圧の合計が、第２の抵抗の両端間に印加され、電圧感知回路の感知電圧が、第２の抵抗を流れる電流に応じて変化する補償回路とを備える回路。
【請求項１１】
光結合素子中に含まれた、バイポーラ・トランジスタによって駆動されるように結合された発光ダイオード（ＬＥＤ）をさらに備える請求項１０に記載の回路。
【請求項１２】
出力が電源の出力であり、光結合素子が出力部から電源内に含まれている電源コントローラにフィードバックを提供するように結合された請求項１１に記載の回路。
【請求項１３】
電源がスイッチ・モード電源である請求項１２に記載の回路。
【請求項１４】
第２の抵抗を流れる電流が通過するように回路の出力部に結合されたツェナー・ダイオードによって電圧基準が提供され、感知電圧が、ツェナー・ダイオードによって与えられる電圧基準とバイポーラ・トランジスタの順方向ベース−エミッタ電圧の合計を含む請求項１０に記載の回路。
【請求項１５】
ツェナー・ダイオードに結合され、第２の抵抗を流れる電流がさらに通過する第３の抵抗をさらに備え、感知電圧が、ツェナー・ダイオードによって与えられる電圧基準、第３の抵抗の両端間の電圧降下、およびバイポーラ・トランジスタの順方向ベース−エミタ電圧の合計を含む請求項１４に記載の回路。
【請求項１６】
補償回路が、第２の抵抗に結合されたダイオードをさらに備え、第２の抵抗とダイオードが、第１の抵抗とバイポーラ・トランジスタのベースの間に結合され、それにより第１の抵抗の両端間の電圧降下とバイポーラ・トランジスタの順方向ベース−エミッタ電圧の合計が、第２の抵抗とダイオードの両端間に印加される請求項１０に記載の回路。
【請求項１７】
ダイオードがＰＮ接合ダイオードを含む請求項１６に記載の回路。
【請求項１８】
出力部から供給される負荷電流の増加に応じて感知電圧が大きくなるように結合される請求項１０に記載の回路。
【請求項１９】
出力部の両端間に結合された電圧感知回路であって、第１の抵抗、第１の抵抗に結合されたツェナー・ダイオード、および出力部の両端間の電圧が電圧感知回路の感知電圧を超えると、第１の抵抗およびツェナー・ダイオードによって駆動されるように結合された光結合素子の発光ダイオードを備え、電圧感知回路の感知電圧が、ツェナー・ダイオードの両端間の電圧降下、ＬＥＤの順方向電圧、および第１の抵抗の両端間の電圧降下の合計である電圧感知回路と、
出力部から供給される負荷電流を表す電圧を提供するように出力部に結合された電流感知回路と、
出力部から供給される負荷電流を表す電圧に応じて、第１の抵抗の両端間の電圧降下を変化させるための、電流感知回路および電圧感知回路に結合された電圧補償回路とを備える回路。
【請求項２０】
第１の抵抗の両端間の電圧降下が、出力部から供給される負荷電流の増加に応じて大きくなる請求項１９に記載の回路。
【請求項２１】
出力が電源の出力であり、光結合素子が出力部から電源内に含まれている電源コントローラにフィードバックを与えるように結合された請求項１９に記載の回路。
【請求項２２】
電源がスイッチ・モード電源である請求項２１に記載の回路。
【請求項２３】
電流感知回路が、ダイオードに結合された第２の抵抗を備え、第２の抵抗およびダイオードが、負荷電流が第２の抵抗およびダイオードを流れるように出力部に結合される請求項１９に記載の回路。
【請求項２４】
電圧補償回路が、バイポーラ・トランジスタのエミッタに結合された第３の抵抗を備え、直列に結合された第３の抵抗およびバイポーラ・トランジスタのベース−エミッタ接合が、電流感知回路の両端間に、バイポーラ・トランジスタのコレクタ電流が第２の抵抗の両端間の電圧降下に比例するように結合される請求項２３に記載の回路。
【請求項２５】
バイポーラ・トランジスタのコレクタが第１の抵抗に、第１の抵抗の両端間の電圧降下が第２の抵抗の両端間の電圧降下に応答するように結合される請求項２４に記載の回路。
【請求項２６】
回路の出力部に結合される電流感知回路であって、
第１のダイオードと、
第１のダイオードに結合された第１の抵抗と、
第１の抵抗および第１のダイオードに結合された第２の抵抗と、
第１の抵抗および第１のダイオードの両端間の電圧降下によって駆動されるように、第１の抵抗、第２の抵抗およびダイオードに結合された発光ダイオード（ＬＥＤ）とを備え、第１の抵抗および第１のダイオードが、出力部から供給される負荷電流が第１のダイオードおよび第１の抵抗を流れるように出力部に結合される電流感知回路と、
出力部および電流感知回路に結合される電圧感知回路であって、
出力部に結合されたツェナー・ダイオードと、
ツェナー・ダイオードに直列に結合された第３の抵抗と、
ツェナー・ダイオードおよび出力部に結合された第４の抵抗と、
ＬＥＤに結合されたバイポーラ・トランジスタとを備え、出力部の両端間の電圧が感知電圧を超えるとＬＥＤを駆動するように、出力部、第３の抵抗およびバイポーラ・トランジスタが結合され、感知電圧が、ツェナー・ダイオードの両端間の電圧降下とバイポーラ・トランジスタの順方向ベース−エミッタ電圧の合計である電圧感知回路と、
出力部および電圧感知回路に結合される電圧補償回路であって、
出力部から供給される負荷電流を実質的に表す電流が第５の抵抗を流れるように、バイポーラ・トランジスタのエミッタおよび出力部に結合された第５の抵抗と、
第５の抵抗に結合された第６の抵抗と、
第６の抵抗に結合された第２のダイオードとを備え、第５の抵抗を流れる電流に応じて感知電圧が変化するように、第６の抵抗および第２のダイオードが、バイポーラ・トランジスタのベースと第５の抵抗の間に直列に結合された電圧補償回路とを備える回路。
【請求項２７】
バイポーラ・トランジスタが、ＰＮＰトランジスタまたはＮＰＮトランジスタのうち１つを含む請求項２６に記載の回路。
【請求項２８】
第１のダイオードと、
第１のダイオードに結合された第１の抵抗と、
第１のダイオードおよび第１の抵抗に結合された第２の抵抗と、
第１の抵抗および第１のダイオードの両端間の電圧降下によって駆動されるように、第１の抵抗、第２の抵抗およびダイオードに結合された発光ダイオード（ＬＥＤ）と、
出力部に結合された第３の抵抗と、
第３の抵抗およびＬＥＤに結合されたツェナー・ダイオードと、
コレクタが第３の抵抗およびツェナー・ダイオードに結合され、かつ、ベースが出力部に結合されたバイポーラ・トランジスタと、
バイポーラ・トランジスタのエミッタと第１の抵抗の間に結合された第４の抵抗とを備え、第１の抵抗および第１のダイオードが、出力部から供給される負荷電流が第１のダイオードおよび第１の抵抗を流れるように回路の出力部に結合される回路。
【請求項２９】
電圧基準とトランジスタのベース−エミッタ電圧降下の合計である感知電圧を有する電圧感知回路を使用して、回路の出力部の両端間の電圧を感知するステップと、
回路の出力部の両端間の電圧を、閉ループにおける感知電圧に調整するステップと、
補償回路を使用して、回路の出力部と負荷を結合している抵抗による電圧降下を補償するステップと、
抵抗の両端間の電圧降下を補償するために、補償回路を使用して、回路の出力部から供給される負荷電流の関数として感知電圧を変化させるステップと、
補償回路に含まれているダイオードを使用して、トランジスタのベース−エミッタ電圧降下を実質的に相殺するステップとを含む方法。
【請求項３０】
電流感知しきい値を有する電流感知回路を使用して、負荷電流を感知するステップと、
負荷電流が電流感知しきい値に達した場合に、負荷電流を閉ループにおける電流感知しきい値に調整するステップとをさらに含む請求項２９に記載の方法。